(57)【要約】 【課題】  通信端末装置の状態を、通信端末装置同士で通信通信することなく、他の通信端末装置で把握することを可能にするシステムを提供する。【解決手段】  各移動体端末２において、制御部で自機の状態を判定し、その状態を示す端末状態情報と、端末状態情報をデータベース装置６に登録するように指令する登録指令情報とを表す登録指令信号を、ネットワーク設備３に送信する。これによって各移動体端末２の状態を示す端末状態情報が、データベース装置６に与えられて記憶される。このようにして各移動体端末２の端末状態情報をデータベース装置６に記憶させて共有化することによって、各移動体端末２の端末状態情報を他の装置、たとえば他の移動体端末２およびサーバ装置７で読出して把握することができる。したがって他の装置が、読出した端末状態情報に基づいて、その通信端末装置の状態に合わせて好適に動作され、利便性が向上される。【選択図】      図１
2005286869.tif 000002
【特許請求の範囲】
【請求項１】
複数の通信端末装置と、各通信端末装置と通信可能であり、情報を記憶するデータベース装置を備えるネットワーク設備とを含む通信システムを構成する前記通信端末装置であって、
ネットワーク設備と通信するための端末通信手段と、
自機の状態を判定し、その状態を示す端末状態情報を表すとともに、端末状態情報をデータベース装置に登録するように指令する登録指令情報を表す登録指令信号をネットワーク設備に送信するように、端末通信手段を制御する端末制御手段とを有することを特徴とする通信端末装置。
【請求項２】
端末制御手段は、他の通信端末装置の端末状態情報を要求する要求情報を表す要求信号をネットワーク設備に送信するように、端末通信手段を制御することを特徴とする請求項１記載の通信端末装置。
【請求項３】
端末制御手段は、端末状態情報の読出を許可する通信端末装置を指定する許可情報を表すとともに、許可情報で指定される通信端末装置からの要求信号を受信した場合だけ端末状態情報を送信するように指令する制限送信指令情報を表す許可情報信号をネットワーク設備に送信するように、端末通信手段を制御することを特徴とする請求項２記載の通信端末装置。
【請求項４】
端末制御手段は、端末状態情報としてデータベース装置に登録すべき内容を表す登録内容情報に基づいて、登録内容情報に合致する内容の端末状態情報を表す登録指令信号を送信するように、端末通信手段を制御することを特徴とする請求項１〜３のいずれかに記載の通信端末装置。
【請求項５】
複数の通信端末装置と、各通信端末装置と通信可能であり、情報を記憶するデータベース装置を備えるネットワーク設備とを含む通信システムを構成する前記ネットワーク設備であって、
情報を記憶するデータベース装置と、
各移動体端末と通信するためのネットワーク設備通信構成体とを有し、
通信端末装置の状態を示す端末状態情報を表すとともに、端末状態情報をデータベース装置に登録するように指令する登録指令情報を表す登録指令信号が、ネットワーク設備通信構成体によって受信されると、データベース装置は、端末状態情報を記憶することを特徴とするネットワーク設備。
【請求項６】
他の通信端末装置の端末状態情報を要求する要求情報を表す要求信号が、ネットワーク設備通信構成体によって受信されると、データベース装置は、前記他の通信端末装置の端末状態情報を読出し、ネットワーク設備通信構成体は、その端末状態情報を表す応答信号を通信端末装置に送信することを特徴とする請求項５記載のネットワーク設備。
【請求項７】
端末状態情報の読出を許可する通信端末装置を指定する許可情報を表すとともに、許可情報で指定される通信端末装置からの要求信号を受信した場合だけ端末状態情報を送信するように指令する制限送信指令情報を表す許可情報信号が、ネットワーク設備通信構成体によって受信されると、データベース装置は、許可情報を記憶し、
要求信号が、固定装置通信構成体によって受信されると、データベース装置は、端末情報を要求している通信端末装置が、許可情報で指定されている通信端末装置と一致する場合にだけ、前記他の通信端末装置の端末状態情報を読出し、ネットワーク設備通信構成体は、その端末状態情報を表す応答信号を通信端末装置に送信することを特徴とする請求項６記載のネットワーク設備。
【請求項８】
データベース装置に記憶される端末状態情報を読出し、その端末状態情報に基づいて、通信端末装置が予め定める状態にあるとき、サービス情報を出力するサーバ装置をさらに含み、
ネットワーク設備通信構成体は、サーバ装置から出力されるサービス情報を通信端末装置に送信することを特徴とする請求項５〜７のいずれか１つに記載のネットワーク設備。
【請求項９】
請求項１〜４のいずれか１つに記載の通信端末装置と、
請求項５〜８のいずれか１つに記載のネットワーク設備とを含むことを特徴とする通信システム。
【発明の詳細な説明】
【技術分野】
【０００１】
本発明は、通信端末装置およびデータベース装置を備えるネットワーク設備ならびに通信システムに関する。
【背景技術】
【０００２】
複数の移動体端末装置間で、基地局通信装置を介して通信する移動体通信システムが利用されている。通信技術の発展に伴い、移動体通信システムに関する多種多様な機能の達成が要望されている。このような状況にある移動体通信システムにおいて、移動体端末装置の保持する情報を利用する技術として、特許文献１〜４に示されるような技術が知られている。
【０００３】
特許文献１および２には、従来ネットワーク側の設備で登録と利用を行っていた位置情報を利用して、別の移動体端末装置が同一エリアに入出したことを通知する機能を持たせようとする技術が示されている。特許文献３には、交換システムは送受信を行うだけで、移動体端末装置Ａが移動体端末装置Ｂに対して直接に情報を要求し、移動体端末装置Ｂが移動体端末装置Ａに問い合わせられた情報を返信するというシステムが示されている。特許文献４には、移動体端末装置の位置情報と基地局のエリアがある地域で重なっていることを利用した移動体ナビゲーションシステムが示されている。
【０００４】
【特許文献１】特開２００３−２８９５７１号公報
【特許文献２】特開２００２−５８０５４号公報
【特許文献３】特開２００２−３３０４５９号公報
【特許文献４】特開２００３−１６６８４９号公報
【発明の開示】
【発明が解決しようとする課題】
【０００５】
しかし、上記特許文献１〜４に示すような従来の技術では、移動体端末装置で、他（相手側）の移動体端末装置の位置、および電源のオンまたはオフの状態を把握することはできるが、その他、他の移動体端末装置がどのような状態に置かれているかを把握することはできない。しかも情報の把握にあたっては、特許文献３のように他の移動体端末装置に直接通信して問い合わせなければならない。したがって相手側に通信することなく、相手側の移動体端末の電波状態状態および相手側の移動体端末が動作の一部を制限するたとえばマナーモードに設定している状態など、相手側の状態を考慮して、相手側の移動体端末と通信することができなかった。
【０００６】
本発明の目的は、通信端末装置の状態を、通信端末装置同士で通信通信することなく、他の通信端末装置で把握することを可能にする通信端末装置、データベース装置および通信システムを提供することである。
【課題を解決するための手段】
【０００７】
本発明は、複数の通信端末装置と、各通信端末装置と通信可能であり、情報を記憶するデータベース装置を備えるネットワーク設備とを含む通信システムを構成する前記通信端末装置であって、
ネットワーク設備と通信するための端末通信手段と、
自機の状態を判定し、その状態を示す端末状態情報を表すとともに、端末状態情報をデータベース装置に登録するように指令する登録指令情報を表す登録指令信号をネットワーク設備に送信するように、端末通信手段を制御する端末制御手段とを有することを特徴とする通信端末装置である。
【０００８】
本発明に従えば、端末制御手段によって自機の状態が判定され、その状態を示す端末状態情報と、端末状態情報をデータベース装置に登録するように指令する登録指令情報とを表す登録指令信号が、端末通信手段によってネットワーク設備に送信される。これによって通信端末装置の状態を示す端末状態情報が、データベース装置に与えられて記憶される。このようにして各通信端末装置の端末状態情報をデータベース装置に記憶させて共有化することによって、各通信端末装置の端末状態情報を他の装置で読出して把握することができる。したがって他の装置が、読出した端末状態情報に基づいて、その通信端末装置の状態に合わせて好適に動作され、利便性が向上される。ここでいう他の装置は、端末状態情報に対応する通信端末装置を除く他の通信端末装置であってもよいし、通信端末装置とは異なる装置であってもよい。
【０００９】
たとえば前記他の装置が通信端末装置である場合、データベース装置に記憶される端末状態情報を、他の通信端末装置で読出すことによって、通信端末装置の状態を、他の通信端末装置で把握することができる。換言すれば、各通信端末装置は、他の通信端末装置と通信することなく、データベース装置から端末状態情報を読出すことによって、他の通信端末装置の状態を把握することができる。したがって通信端末装置を用いて、他の通信端末装置の状態を把握し、その状態に合わせて好適に他の通信端末装置と通信することができる。
【００１０】
またたとえば前記他の装置が、予め定めるサービス情報を通信端末装置に提供するサーバ装置である場合、データベース装置に記憶される端末状態情報を、サーバ装置で読出すことによって、通信端末装置の状態を、サーバ装置で把握することができる。したがってサービス情報の提供先となる通信端末装置の状態をサーバ装置で把握し、その状態に合わせてサービス情報の提供に好適な状態にあるときに、サービス情報を通信端末装置に提供することができる。
【００１１】
データベース装置に記憶される端末情報を利用する装置は、通信端末装置およびサーバ装置に限定されるものではなく、これらの装置以外の装置であってもよい。端末状態情報の前記利用形態は、あくまで一例である。
【００１２】
また本発明は、端末制御手段は、他の通信端末装置の端末状態情報を要求する要求情報を表す要求信号をネットワーク設備に送信するように、端末通信手段を制御することを特徴とする。
【００１３】
本発明に従えば、他の通信端末装置の端末状態情報を要求する要求情報を表す要求信号が、端末通信手段によってネットワーク設備に送信される。これによってデータベース装置に記憶される他の通信端末装置の端末状態情報が、ネットワーク設備から与えられる。換言すれば、通信端末装置によって、他の通信端末装置の端末状態情報を、ネットワーク設備のデータベース装置から読出すことができる。したがって通信端末装置を用いて、他の通信端末装置の状態を把握し、その状態に合わせて好適に他の通信端末装置と通信することができる。
【００１４】
また本発明は、端末制御手段は、端末状態情報の読出を許可する通信端末装置を指定する許可情報を表すとともに、許可情報で指定される通信端末装置からの要求信号を受信した場合だけ端末状態情報を送信するように指令する制限送信指令情報を表す許可情報信号をネットワーク設備に送信するように、端末通信手段を制御することを特徴とする。
【００１５】
本発明に従えば、端末状態情報の読出を許可する通信端末装置を指定する許可情報と、許可情報で指定される通信端末装置からの要求信号を受信した場合だけ端末状態情報を送信するように指令する制限送信指令情報とを表す許可情報信号が、端末通信手段によってネットワーク設備に送信される。これによって許可情報が、データベース装置に与えられて記憶される。したがって通信端末装置の端末状態情報を、他の全ての通信端末装置で読出せるのではなく、許可された他の通信端末装置だけで読出すことができる。換言すれば、各通信端末装置は、自機に許可が与えられている他の通信端末装置の端末状態情報だけを読出すことができる。このように不所望な情報の漏洩を防ぐことができる。
【００１６】
また本発明は、端末制御手段は、端末状態情報としてデータベース装置に登録すべき内容を表す登録内容情報に基づいて、登録内容情報に合致する内容の端末状態情報を表す登録指令信号を送信するように、端末通信手段を制御することを特徴とする。
【００１７】
本発明に従えば、登録内容情報に合致する内容の端末状態情報を表す登録指令信号が、端末通信手段によってネットワーク設備に送信される。登録内容情報は、端末状態情報としてデータベース装置に登録すべき内容を表しており、この登録すべき内容を予め指定しておくことによって、データベース装置に記憶される端末状態情報の内容を事前に選択することができ、利便性を高くすることができる。たとえば、利用者が、登録すべき内容を入力手段などによって入力できるようにすることによって、利用者の意図を反映した内容の端末状態情報を、データベース装置に記憶することができる。
【００１８】
また本発明は、複数の通信端末装置と、各通信端末装置と通信可能であり、情報を記憶するデータベース装置を備えるネットワーク設備とを含む通信システムを構成する前記ネットワーク設備であって、
情報を記憶するデータベース装置と、
各移動体端末と通信するためのネットワーク設備通信構成体とを有し、
通信端末装置の状態を示す端末状態情報を表すとともに、端末状態情報をデータベース装置に登録するように指令する登録指令情報を表す登録指令信号が、ネットワーク設備通信構成体によって受信されると、データベース装置は、端末状態情報を記憶することを特徴とするネットワーク設備である。
【００１９】
本発明に従えば、通信端末装置の状態を示す端末状態情報と、端末状態情報をデータベース装置に登録するように指令する登録指令情報とを表す登録指令信号が、ネットワーク設備通信構成体によって受信されると、端末状態情報がデータベース装置に記憶される。これによって各通信端末装置から登録指令信号が送信されることによって、ネットワーク設備で受信され、端末状態情報がデータベース装置に記憶される。このようにして各通信端末装置の端末状態情報をデータベース装置に記憶させて共有化することによって、各通信端末装置の端末状態情報を他の装置で読出して把握することができる。したがって他の装置が、読出した端末状態情報に基づいて、その通信端末装置の状態に合わせて好適に動作され、利便性が向上される。ここでいう他の装置は、端末状態情報に対応する通信端末装置を除く他の通信端末装置であってもよいし、通信端末装置とは異なる装置であってもよい。
【００２０】
たとえば前記他の装置が通信端末装置である場合、データベース装置に記憶される端末状態情報を、他の通信端末装置で読出すことによって、通信端末装置の状態を、他の通信端末装置で把握することができる。換言すれば、各通信端末装置は、他の通信端末装置と通信することなく、データベース装置から端末状態情報を読出すことによって、他の通信端末装置の状態を把握することができる。したがって通信端末装置を用いて、他の通信端末装置の状態を把握し、その状態に合わせて好適に他の通信端末装置と通信することができる。
【００２１】
またたとえば前記他の装置が、予め定めるサービス情報を通信端末装置に提供するサーバ装置である場合、データベース装置に記憶される端末状態情報を、サーバ装置で読出すことによって、通信端末装置の状態を、サーバ装置で把握することができる。したがってサービス情報の提供先となる通信端末装置の状態をサーバ装置で把握し、その状態に合わせてサービス情報の提供に好適な状態にあるときに、サービス情報を通信端末装置に提供することができる。
【００２２】
データベース装置に記憶される端末情報を利用する装置は、通信端末装置およびサーバ装置に限定されるものではなく、これらの装置以外の装置であってもよい。端末状態情報の前記利用形態は、あくまで一例である。
【００２３】
また本発明は、他の通信端末装置の端末状態情報を要求する要求情報を表す要求信号が、ネットワーク設備通信構成体によって受信されると、データベース装置は、前記他の通信端末装置の端末状態情報を読出し、ネットワーク設備通信構成体は、その端末状態情報を表す応答信号を通信端末装置に送信することを特徴とする。
【００２４】
本発明に従えば、他の通信端末装置の端末状態情報を要求する要求情報を表す要求信号が、ネットワーク設備通信構成体によって受信されると、前記他の通信端末装置の端末状態情報がデータベース装置から読出され、その端末状態情報を表す応答信号が、ネットワーク設備通信構成体によって、その端末状態情報を要求した通信端末装置に送信される。これによってデータベース装置に記憶される他の通信端末装置の端末状態情報が、ネットワーク設備から与えられる。換言すれば、通信端末装置によって、他の通信端末装置の端末状態情報を、ネットワーク設備のデータベース装置から読出すことができる。したがって通信端末装置を用いて、他の通信端末装置の状態を把握し、その状態に合わせて好適に他の通信端末装置と通信することができる。
【００２５】
また本発明は、端末状態情報の読出を許可する通信端末装置を指定する許可情報を表すとともに、許可情報で指定される通信端末装置からの要求信号を受信した場合だけ端末状態情報を送信するように指令する制限送信指令情報を表す許可情報信号が、ネットワーク設備通信構成体によって受信されると、データベース装置は、許可情報を記憶し、
要求信号が、固定装置通信構成体によって受信されると、データベース装置は、端末情報を要求している通信端末装置が、許可情報で指定されている通信端末装置と一致する場合にだけ、前記他の通信端末装置の端末状態情報を読出し、ネットワーク設備通信構成体は、その端末状態情報を表す応答信号を通信端末装置に送信することを特徴とする。
【００２６】
本発明に従えば、端末状態情報の読出を許可する通信端末装置を指定する許可情報と、許可情報で指定される通信端末装置からの要求信号を受信した場合だけ端末状態情報を送信するように指令する制限送信指令情報とを表す許可情報信号が、ネットワーク設備通信構成体によって受信されると、許可情報がデータベース装置に記憶される。そして要求信号が、固定装置通信構成体によって受信されると、端末情報を要求している通信端末装置が、許可情報で指定されている通信端末装置と一致するか判定され、一致する場合にだけ、前記他の通信端末装置の端末状態情報が読出され、その端末状態情報を表す応答信号が、通信端末装置に送信される。したがって通信端末装置の端末状態情報を、他の全ての通信端末装置で読出せるのではなく、許可された他の通信端末装置だけで読出すことができる。換言すれば、各通信端末装置は、自機に許可が与えられている他の通信端末装置の端末状態情報だけを読出すことができる。このように不所望な情報の漏洩を防ぐことができる。
【００２７】
また本発明は、データベース装置に記憶される端末状態情報を読出し、その端末状態情報に基づいて、通信端末装置が予め定める状態にあるとき、サービス情報を出力するサーバ装置をさらに含み、
ネットワーク設備通信構成体は、サーバ装置から出力されるサービス情報を通信端末装置に送信することを特徴とする。
【００２８】
本発明に従えば、ネットワーク設備にサーバ装置が設けられ、このサーバ装置が、データベース装置に記憶される端末状態情報を読出し、通信端末装置が予め定める状態にあるとき、サービス情報を出力する。このサービス情報は、ネットワーク設備通信構成体によって、通信端末装置に送信される。これによってサービス情報の提供先となる通信端末装置の状態をサーバ装置で把握し、その状態に合わせてサービス情報の提供に好適な状態にあるときに、サービス情報を通信端末装置に提供することができる。
【００２９】
また本発明は、前記通信端末装置と、
前記ネットワーク設備とを含むことを特徴とする通信システムである。
【００３０】
本発明に従えば、前述のような複数の通信端末装置とネットワーク設備とを含む通信システムを実現することができる。したがって前述のような各効果を達成可能な通信システムを実現することができる。
【発明の効果】
【００３１】
本発明によれば、各通信端末装置の端末状態情報をデータベース装置に記憶させて共有化することができるので、他の装置が、端末状態情報を読出して、通信端末装置の状態に合わせて好適に動作することができる。したがって各通信端末装置装置と通信することなく、それぞれの状態を把握し、各通信端末装置の状態に合わせて、各通信端末装置間または各通信端末装置と他の装置の間で通信することができ、利便性を高くすることができる。
【００３２】
また本発明によれば、各通信端末装置によって、他の通信端末装置の端末状態情報を読出すことができる。したがって通信端末装置を用いて、他の通信端末装置の状態合わせて好適に、他の通信端末装置と通信することができる。
【００３３】
また本発明によれば、各通信端末装置は、自機に許可が与えられている他の通信端末装置の端末状態情報だけを読出すことができる。したがって不所望な情報の漏洩を防ぐことができる。
【００３４】
また本発明によれば、登録すべき内容を予め指定しておくことによって、データベース装置に記憶される端末状態情報の内容を事前に選択することができ、利便性を高くすることができる。
【００３５】
また本発明によれば、各通信端末装置の端末状態情報をデータベース装置に記憶させて共有化することができるので、他の装置が、端末状態情報を読出して、通信端末装置の状態に合わせて好適に動作することができる。したがって各通信端末装置装置と通信することなく、それぞれの状態を把握し、各通信端末装置の状態に合わせて、各通信端末装置間または各通信端末装置と他の装置の間で通信することができ、利便性を高くすることができる。
【００３６】
また本発明によれば、各通信端末装置によって、他の通信端末装置の端末状態情報を読出すことができる。したがって通信端末装置を用いて、他の通信端末装置の状態合わせて好適に、他の通信端末装置と通信することができる。
【００３７】
また本発明によれば、各通信端末装置は、自機に許可が与えられている他の通信端末装置の端末状態情報だけを読出すことができる。したがって不所望な情報の漏洩を防ぐことができる。
【００３８】
また本発明によれば、サービス情報の提供先となる通信端末装置の状態をサーバ装置で把握し、その状態に合わせてサービス情報の提供に好適な状態にあるときに、サービス情報を通信端末装置に提供することができる。
【００３９】
また本発明によれば、前述のような各効果を達成可能な通信システムを実現することができる。
【発明を実施するための最良の形態】
【００４０】
図１は、本発明の実施の一形態の通信システム１を示すブロック図である。通信システム１は、移動体通信システムであって、複数（図１には２つだけを示す）の通信端末装置である移動体端末２ａ，２ｂ（以下不特定の端末装置を指す場合、添え字をａ，ｂを省略することがある）と、ネットワーク設備３とを含んで構成される。ネットワーク設備３は、複数（図１には２つだけを示す）の基地局通信装置４ａ，４ｂ（以下「基地局」という場合があり、不特定の基地局を指す場合、添え字をａ，ｂを省略することがある）と、交換装置である交換機５と、データベース装置６と、サーバ装置７とを有する。
【００４１】
このように通信システム１は、複数の移動体端末（第１および第２の移動体端末）２、各移動体端末２と無線で接続される複数の基地局４、各基地局４からの要求に対する制御処理を行い、各基地局４、データベース装置６およびサーバ装置７との間の通信接続の切換えを行う交換機５、各移動体端末の情報を管理するデータベース装置６、ネットワーク側から各移動体端末に対してサービスを行うサーバ装置７とを含む。
【００４２】
各移動体端末２は、利用者が携帯して持運ぶことが可能であり、利用者に持運ばれることによって移動する。移動局などとも呼ばれる各移動体端末２は、たとえば携帯電話装置であってもよい。ネットワーク設備３は、固定位置に設けられる。各移動体端末２およびネットワーク設備３を有する通信システム１では、各移動体端末２が、ネットワーク設備３を介して通信することができる。
【００４３】
通信システム１は、各移動体端末２の状態を、ネットワーク側の設備であるネットワーク設備３および他の移動体端末２などで把握することができるようにして、通信システム１を利用する複数の利用者が、各移動体端末２の状態変化に応じて、その状態を同時に認知できるようにすることを目的としている。さらに利用者が、移動体端末２を用いて、相手側の利用者が用いている他の移動体端末２に通信して連絡することなく、その他の移動体端末２の状態を認知できるようにする。
【００４４】
各基地局４は、通信エリアをそれぞれ有している。移動体端末２と基地局４とは、移動体端末２が基地局４の通信エリア内にある場合、その基地局４との間で、無設接続可能であり、無線通信可能である。図１では、第１の移動体端末２ａが第１の基地局４ａの通信エリア内にあって、相互に無線通信可能であり、第２の移動体端末２ｂが第２の基地局４ｂの通信エリア内にあって、相互に無線通信可能である。
【００４５】
各基地局４と交換機５とは、有線接続され、有線通信することができる。したがって各基地局４は、交換機５を介して、互いに有線通信可能に接続される。また交換機５とデータベース装置６とは、有線接続され、有線通信することができ、交換機５とサーバ装置７とは、有線接続され、有線通信することができ、データベース装置６とサーバ装置７とは、有線接続され、有線通信することができる。
【００４６】
このように各装置２，４〜７は、互いに、直接または他の装置を介して間接的に通信可能に接続されている。これによって各移動体端末２は、各基地局４および交換機５を介して、互いに通信可能であり、ネットワーク設備３を介して、たとえば通話およびメール送受信など、互いに通信することができる。また各移動体端末２は、各基地局４および交換機５を介して、データベース装置６およびサーバ装置７との間で通信することができる。サーバ装置７は、サーバ装置７サーバなどとも呼ばれ、たとえばメールサーバおよびウェブ(Web）サーバなどであってもよい。
【００４７】
また交換機５は、図示は省略するが、固定設置される通信端末装置（固定端末)と、直接または間接的に有線接続されて有線通信できるように構成されていてもよい。この場合、各移動体端末２は、基地局４および交換機５を介して、固定端末との間で通信することもできる。この固定端末は、電話装置であってもよいし、パーソナルコンピュータなどであってもよい。このように移動体端末および固定端末を含む通信端末装置間で通信することができる。
【００４８】
図２は、第１の移動体端末２ａの電気的構成を示すブロック図である。図２には、第１の移動体端末２ａの構成を示すが、各移動体端末２は、同様の構成を有している。移動体端末２は、端末アンテナ１０、端末無線通信部１１、操作入力部１２、表示部１３、音声入力部１４、音声出力部１５、端末記憶部１６および端末制御部１７を有する。
【００４９】
端末アンテナ１０は、無線電波を介して基地局４と無線通信を行うときに、音声情報、文字情報および画像情報を含む情報を表す信号を、基地局４との間で送受信する。この端末アンテナ１０は、端末無線通信部１１から与えられる信号を送信するとともに、受信した信号を端末無線通信部１１に与える。端末無線通信部１１は、アンテナ１１を介して受信した信号を復調して、端末制御部１７に与え、また端末制御部１７から与えられる信号を変調および増幅して、端末アンテナ１０に与える。端末アンテナ１０および端末無線通信部１１を含んで端末通信手段１９が構成される。
【００５０】
操作入力部１２は、操作入力手段であって、利用者が操作するキーなどの複数の操作片を有する。操作入力部１２は、各操作片が操作されることによって、数字情報、文字情報および移動体端末への指示情報などの所定の情報など、操作に応じた情報を表す信号を生成して端末制御部１７に与える。したがって利用者は、操作入力部１２の各操作片を操作して、移動体端末２に情報を入力することができる。
【００５１】
表示部１３は、表示手段であって、静止画像および動画像を含む画像を表示する。画像は、文字、数字などのキャラクタを表す画像でもよいし、写真およびイラストを表す画像でもよい。移動体端末２には、カメラ部を設けるようにしてもよく、この場合、カメラ部で撮像して得られる画像を、表示部１３で表示するようにしてもよい。この表示部１３は、透過型液晶表示素子、反射型液晶表示素子、エレクトロルミネッセンス（Electro
Luminescence；略称：ＥＬ）素子および半透過半反射型液晶表示素子のうち、少なくとも１つを用いて実現されてもよい。またカラー表示可能であってもよいし、白黒表示可能であってもよい。
【００５２】
音声入力部１４は、音声入力手段であって、たとえばマイクロフォンによって実現され、通話時に音声を電気信号に変換してその音声を表す信号を制御手段に与える。したがって利用者は、音声入力部１４によって移動体端末２に音声、たとえば通話時の送話音声を入力することができる。音声出力部１５は、音声出力手段であって、たとえばスピーカによって実現され、端末制御部１７から与えられる信号を音声に変換して出力する。したがって利用者は、音声出力部１５によって移動体端末１から出力される音声、たとえば通話時の受話音声、着信時の呼出し音、操作入力部１２が操作されたことを表す確認音などを聞くことができる。
【００５３】
端末記憶部１６は、端末記憶手段であって、各種の情報が記憶される。端末記憶部１６に記憶される情報は、入力部１３によって入力される情報であってもよいし、端末アンテナ１０によって受信される信号が表す情報であってもよい。端末記憶部１６は、たとえばフラッシュメモリなどの不揮発性メモリによって実現される。端末記憶部１６は、端末制御部１７から与えられる信号が表す情報を記憶し、端末制御部１７からの要求に応じて記憶する情報を読出してその情報を表す信号を端末制御部１７に与える。
【００５４】
端末制御部１７は、端末制御手段であって、中央演算処理装置（Central Processing
Unit；略称：ＣＰＵ）を含んで実現され、その内部に保存される制御プログラムに基づいて、携帯電話機１を構成する前記の端末無線通信部１１、操作入力部１２、表示部１３、音声入力部１４、音声出力部１５および端末記憶部１６（以下総称して「各部１１〜１６」という場合がある）を含むハードウェア資源を、統括的に制御する。
【００５５】
端末制御部１７は、各部１１〜１６から信号が与えられると、その信号が表す情報に基づいて、各部１１〜１６に指令を表す信号を与えて制御する。各部１１〜１６は、端末制御部１７からの信号が表す指令に基づいて動作する。これによって、たとえば操作入力部１２によって入力される情報を、表示部１３によって表示し、端末記憶部１６によって記憶し、または端末通信手段１９によって送信することができる。また音声入力部１４によって入力される音声を、端末通信手段１９によって送信することができる。また端末通信手段１９によって受信される情報を、表示部１３によって表示し、端末記憶部１６によって記憶し、または音声出力部１５によって出力することができる。このような動作によって、移動体端末１が、通話およびメール送受信などの通信動作を実現することができる。
【００５６】
本実施の形態の移動体端末２の端末制御部１７は、自機の状態を判定する。自機の状態は、たとえば移動体端末２が複数のモードで動作する構成である場合に、いずれのモードにあるかのモードに関する状態、および電波状態などと呼ばれる各基地局４との間の無線通信の適不適に関する状態を含む。そして端末制御部１７は、自機の状態を示す端末状態情報を表すとともに、端末状態情報をデータベース装置６に登録するように指令する登録指令情報を表す登録指令信号をネットワーク設備３に送信するように、端末通信手段１９を制御する。これによって端末通信手段１９によって登録指令信号がネットワーク設備３の基地局４に送信される。
【００５７】
複数のモードには、たとえば利用者の好みなどに合わせて移動体端末２を動作させることができる通常モード、音声出力部１５から出力される音声を小さくまたは消去するなどの移動体端末２からの出力の一部を制限するマナーモードおよび着信時に自動的に応答して自動車の運転中であることを伝える信号を発信元の移動体端末２または固定端末装置に送信するドライブモードを含む。マナーモードおよびドライブモードは、通常モードに比べて、移動体端末２の動作の一部を禁止、制限または代替するモードである。
【００５８】
このようなモードは、利用者によって操作入力部１２が操作されて設定される。具体的には、入力されるモードを指定する情報に基づいて、端末制御部１７が指定されるモードに対応する動作をするように、各部１１〜１６を制御する。したがって端末制御部１７は、どのモードに設定されているか、入力されるモードを指定する情報に基づいて判定する。このモードを指定する情報は、端末記憶部１６に記憶されていてもよい。
【００５９】
各基地局４との間の無線通信の適不適に関する状態は、無線通信可能な基地局４に対する遠近などによって、基地局４から送信される信号の強度の状態である。移動体端末２と各基地局４とは、移動体端末２の位置確認のために、一定周期で通信している。端末制御部１７は、この位置確認のための通信時における受信信号の強度から、各基地局４との間の無線通信の適不適に関する状態を判定している。
【００６０】
また端末制御部１７は、予め定める条件を満たしたとき、他の通信端末装置、具体的には他の移動体端末２の端末状態情報を要求する要求情報を表す要求信号をネットワーク設備３に送信するように、端末通信手段１９を制御する。これによって端末通信手段１９によって要求信号がネットワーク設備３の基地局４に送信される。
【００６１】
要求信号を送信する条件は、たとえば利用者によって操作入力部１２が操作されて、要求信号を送信するように指示されることであってもよいし、一定周期で要求信号を送信するように予め設定されている場合に、要求信号を送信する時刻になったことであってもよい。一定周期で要求信号を送信するように設定する場合、その周期など、その設定に関する情報を端末記憶部１６に記憶しておいてもよい。
【００６２】
また端末制御部１７は、端末状態情報の読出を許可する通信端末装置、具体的には移動体端末２を指定する許可情報を表すとともに、許可情報で指定される移動体端末２からの要求信号を受信した場合だけ端末状態情報を送信するように指令する制限送信指令情報を表す許可情報信号をネットワーク設備３に送信するように、端末通信手段１９を制御する。これによって端末通信手段１９によって許可情報信号がネットワーク設備３の基地局４に送信される。
【００６３】
許可情報は、たとえば端末状態情報の読出を許可する移動体端末２を特定可能なコード、たとえば移動体端末２に割当てられる電話番号を表す情報であってもよい。また許可情報は、電話番号を含むコード以外に、利用者が入力する名称、たとえば利用者の氏名などの情報であってもよい。
【００６４】
また端末制御部１７は、端末状態情報としてデータベース装置６に登録、すなわち記憶すべき内容を表す登録内容情報に基づいて、登録内容情報に合致する内容の端末状態情報を表す登録指令信号を送信するように、端末通信手段１９を制御する。これによって端末通信手段１９によって、登録内容情報に合致する内容の端末状態情報を表す登録指令信号が、ネットワーク設備３の基地局４に送信される。
【００６５】
登録内容情報は、たとえばモードに関する状態だけを登録する、電波状態に関する情報だけを登録する、モードおよび電波状態に関する情報を登録するのうちの１つを表す情報であってもよい。この登録内容情報は、利用者によって操作入力部１２が操作されて、入力されてもよく、この登録内容情報、端末記憶部１６に記憶されていてもよい。
【００６６】
図３は、第１の基地局４ａの電気的構成を示すブロック図である。図３には、第１の基地局３ａの構成を示すが、各基地局４は、同様の構成を有している。基地局４は、基地局アンテナ２０、基地局無線通信部２１、有線通信部２２および基地局制御部２３を有する。
【００６７】
基地局アンテナ２０は、無線電波を介して移動体端末２と無線通信を行うときに、音声情報、文字情報および画像情報を含む情報を表す信号を、移動体端末２との間で送受信する。基地局アンテナ２０は、基地局無線通信部２１から与えられる信号を送信するとともに、受信した信号を基地局無線通信部２１に与える。基地局無線通信部２１は、基地局アンテナ２１を介して受信した信号を復調して、基地局制御部２３に与え、また基地局制御部２３から与えられる信号を変調および増幅して、基地局アンテナ２０に与える。基地局アンテナ２０および基地局無線通信部２１を含んで基地局無線通信手段２４が構成される。
【００６８】
基地局有線通信部２２は、基地局有線通信手段であって、交換機５と有線通信を行うときに、音声情報、文字情報および画像情報を含む情報を表す信号を、交換機５との間で送受信する。基地局有線通信部２２は、交換機５から受信した信号を基地局制御部２３に与え、また基地局制御部２３から与えられる信号を、交換機５に送信する。
【００６９】
基地局制御部２３は、基地局制御手段であって、中央演算処理装置（Central
Processing Unit；略称：ＣＰＵ）を含んで実現され、その内部に保存される制御プログラムに基づいて、基地局４を構成する前記の基地局無線通信部２１および基地局有線通信部２２を含むハードウェア資源を、統括的に制御する。
【００７０】
基地局制御部２３は、基地局無線通信部２１および基地局有線通信部２２から信号が与えられると、その信号が表す情報に基づいて、基地局無線通信部２１および基地局有線通信部２２に指令を表す信号を与えて制御する。地局無線通信部２１および基地局有線通信部２２は、基地局制御部２３からの信号が表す指令に基づいて動作する。これによって、たとえば基地局無線通信手段２４で受信した情報を、有線通信部２２によって交換機５に送信することができる。また有線通信部２２で受信した信号を、基地局無線通信手段２４によって移動体端末２に送信することができる。
【００７１】
図４は、交換機５の電気的構成を示すブロック図である。交換機５は、交換機有線通信部３１および交換機制御部３２を有する。交換機有線通信部３１は、交換機有線通信手段であって、各基地局４、データベース装置６およびサーバ装置７と有線通信を行うときに、音声情報、文字情報および画像情報を含む情報を表す信号を、各基地局４、データベース装置６およびサーバ装置７との間で送受信する。交換機有線通信部３１は、各基地局４、データベース装置６およびサーバ装置７から受信した信号を交換機制御部３２に与え、また、交換機制御部３２から与えられる信号を、各基地局４、データベース装置６およびサーバ装置７に送信する。
【００７２】
交換機制御部３２は、交換機制御手段であって、中央演算処理装置（Central
Processing Unit；略称：ＣＰＵ）を含んで実現され、その内部に保存される制御プログラムに基づいて、交換機５を構成する前記の交換機有線通信部３１を含むハードウェア資源を、統括的に制御する。
【００７３】
交換機制御部３２は、交換機有線通信部３１から信号が与えられると、その信号が表す情報に基づいて、その情報を与えるべき装置、つまり送信先に送信できるように、交換機有線通信部３１に指令を表す信号を与えて制御する。交換機有線通信部３１は、交換機制御部３２からの信号が表す指令に基づいて動作する。これによって、たとえば基地局４から受信した情報を、他の基地局４、データベース装置６およびサーバ装置７に選択的に送信することができる。このように、交換機５と通信可能な装置４〜７のうちの１つから受信した情報を、残余の装置のうちの少なくともいずれか１つに選択的に送信することができる。
【００７４】
図５は、データベース装置６の電気的構成を示すブロック図である。データベース装置６は、データベース有線通信部４１、データベース記憶部４２およびデータベース制御部４３を有する。データベース有線通信部４１は、データベース有線通信手段であって、交換機５およびサーバ装置７と有線通信を行うときに、音声情報、文字情報および画像情報を含む情報を表す信号を、交換機５およびサーバ装置７との間で送受信する。データベース有線通信部４１は、交換機５およびサーバ装置７から受信した信号をデータベース制御部４３に与え、またデータベース制御部４３から与えられる信号を、交換機５およびサーバ装置に送信する。
【００７５】
データベース記憶部４２は、データベース記憶手段であって、各種の情報が記憶される。データベース記憶部４２に記憶される情報は、各移動体端末２に関する情報を含む。データベース記憶部４２は、たとえばハードディスク装置によって実現される。データベース記憶部４２は、データベース制御部４３から与えられる信号が表す情報を記憶し、データベース制御部４３からの要求に応じて記憶する情報を読出してその情報を表す信号をデータベース制御部４３に与える。
【００７６】
データベース制御部４３は、データベース制御手段であって、中央演算処理装置（
Central Processing Unit；略称：ＣＰＵ）を含んで実現され、その内部に保存される制御プログラムに基づいて、データベース装置６を構成する前記のデータベース有線通信部４１およびデータベース記憶部４２を含むハードウェア資源を、統括的に制御する。
【００７７】
データベース制御部４３は、データベース有線通信部４１およびデータベース記憶部４２から信号が与えられると、その信号が表す情報に基づいて、データベース有線通信部４１およびデータベース記憶部４２に指令を表す信号を与えて制御する。データベース有線通信部４１およびデータベース記憶部４２は、データベース制御部４３からの信号が表す指令に基づいて動作する。これによって、たとえばデータベース有線通信部４１で受信した情報を、データベース記憶部４２によって記憶することができる。またデータベース記憶部４２に記憶される情報を読出して、データベース制御部４１によって交換機５およびサーバ装置６のうちの少なくともいずれか１つに選択的に送信することができる。
【００７８】
図６は、サーバ装置７の電気的構成を示すブロック図である。サーバ装置７は、サーバ有線通信部５１、サーバ記憶部５２およびサーバ制御部５３を有する。サーバ有線通信部５１は、サーバ有線通信手段であって、交換機５およびデータベース装置６と有線通信を行うときに、音声情報、文字情報および画像情報を含む情報を表す信号を、交換機５およびデータベース装置６との間で送受信する。サーバ有線通信部５１は、交換機５およびデータベース装置６から受信した信号をサーバ制御部５３に与え、またサーバ制御部５３から与えられる信号を、交換機５およびデータベース装置６に送信する。
【００７９】
サーバ記憶部５２は、サーバ記憶手段であって、各種の情報が記憶される。サーバ記憶部５２に記憶される情報は、各移動体端末２に提供するサービス情報を含む。このサービス情報は、利用者が移動体端末２を用いて、他の移動体端末宛に送信したメール情報であってもよいし、通信システム１の利用者の１人であるサーバ装置７の所有者または管理者が、通信システム１の他の利用者に提供しようとするウェブ情報であってもよい。サーバ記憶部５２は、たとえばハードディスク装置によって実現される。サーバ記憶部５２は、サーバ制御部５から与えられる信号が表す情報を記憶し、サーバ制御部５からの要求に応じて記憶する情報を読出してその情報を表す信号をサーバ制御部５に与える。
【００８０】
サーバ制御部５３は、サーバ制御手段であって、中央演算処理装置（Central
Processing Unit；略称：ＣＰＵ）を含んで実現され、その内部に保存される制御プログラムに基づいて、サーバ装置６を構成する前記のサーバ有線通信部５１およびサーバ記憶部５２を含むハードウェア資源を、統括的に制御する。
【００８１】
サーバ制御部５３は、サーバ有線通信部５１およびサーバ記憶部５２から信号が与えられると、その信号が表す情報に基づいて、サーバ有線通信部５１およびサーバ記憶部５２に指令を表す信号を与えて制御する。サーバ有線通信部５１およびサーバ記憶部５２は、サーバ制御部５３からの信号が表す指令に基づいて動作する。これによって、たとえばサーバ有線通信部５１で受信した情報を、サーバ記憶部５２によって記憶することができる。またサーバ記憶部５２に記憶される情報を読出して、サーバ制御部５１によって交換機５およびデータベース装置７のうちの少なくともいずれか１つに選択的に送信することができる。
【００８２】
サーバ装置６がメールサーバである場合、移動体端末２から送信されるメール情報を表すメール信号は、基地局４および交換機５を介してサーバ装置６で受信され、メール情報がサーバ記憶部５２に記憶される。そしてサーバ装置６から送信先となる移動体端末２に向けて、交換機５および基地局４を介して送信する。またサーバ装置６がウェブサーバである場合、予めサーバ記憶部５２に記憶されているウェブ情報を、移動体端末２からの要求を表す信号が基地局４および交換機５を介して受信されたとき、または予め設定される一定周期で、交換機５および基地局４を介して移動体端末２に送信する。
【００８３】
このような各基地局４、交換機５、データベース装置６およびサーバ装置７を含んでネットワーク設備３が構成される。したがってネットワーク設備３は、各基地局４および交換機５を含んで構成され、各移動体端末２と通信するためのネットワーク設備通信構成体（以下「通信構成体」という場合がある）８と、情報を記憶するデータベース装置６と、サービス情報を提供するためのサーバ装置７とを含む。
【００８４】
このネットワーク設備３は、登録指令信号が、通信構成体８によって受信されると、データベース装置６が、データベース有線通信部４１で交換機５から登録指令信号を受信し、データベース制御部４３の制御に基づいて、データベース記憶部４２で端末状態情報を記憶する。そしてネットワーク設備３は、要求信号が、通信構成体８によって受信されると、データベース装置６が、データベース有線通信部４１で交換機５から要求信号を受信し、データベース制御部４３の制御に基づいて、データベース記憶部４２で前記他の移動体端末２の端末状態情報を読出し、その端末状態情報を表す応答信号をデータベース有線通信部４１で交換機５に送信し、通信構成体８が、その応答信号を移動体端末２に送信する。
【００８５】
またネットワーク設備３は、許可情報信号が、通信構成体８によって受信されると、データベース装置６が、データベース有線通信部４１で交換機５から許可情報信号を受信し、データベース制御部４３の制御に基づいて、データベース記憶部４２で許可情報を記憶する。このように許可情報が記憶される場合、ネットワーク設備３は、要求信号が、通信構成体８によって受信されたとき、データベース制御部４３がデータベース記憶部４２を制御して許可情報を読出し、要求信号の送信元である通信端末装置、具体的には移動体端末２が、端末状態情報の読出しを許可されているか否かを判定し、許可情報で指定されている移動体端末２と一致する場合にだけ、データベース記憶部４２を制御して前記他の移動体端末２の端末状態情報を読出し、その端末状態情報を表す応答信号をデータベース有線通信部４１で交換機５に送信し、通信構成体８が、その応答信号を移動体端末２に送信する。
【００８６】
またネットワーク設備３は、サーバ装置６が、サービス情報を提供しようとするとき、データベース装置７に記憶される端末状態情報を読出し、その端末状態情報に基づいて、通信端末装置が予め定める状態にあるとき、サービス情報を出力し、そのサービス情報を表すサービス情報信号を交換機５に送信する。サービス情報を提供しようとするときとは、たとえばサーバ装置６がメールサーバである場合、移動体端末２からのメール情報を受信したときであり、またサーバ装置６がウェブサーバである場合、移動体端末２から要求があったときまたは予め設定される時刻になったときである。データベース装置７に記憶される端末状態情報を読出すにあたっては、サーバ制御部５３の制御に基づいて、サーバ有線通信部５１でサービス情報の提供先となる移動体端末２の端末状態情報を確認するための確認情報を表す確認信号をデータベース装置６に送信する。これによってデータベース装置７が、データベース有線通信部４１で確認信号を受信し、データベース制御部４３の制御に基づいて、データベース記憶部４３から端末情報を読出し、その端末状態情報を表す回答信号をデータベース有線通信部４１でサーバ装置６に送信する。このようにして、サーバ装置７で端末状態情報を読出される。
【００８７】
このようにしてサーバ装置６からサービス情報信号が送信されると、ネットワーク設備３は、通信構成体８は、サーバ装置６からのサービス信号を、その送信先となる移動体端末２に送信する。このようにサーバ装置６から移動体端末２の状態に合わせて、交換機５および基地局４を介して、サービス情報が移動体端末２に送信される。
【００８８】
図７は、第１の移動体端末２ａの端末制御部１７における端末状態情報の送信制御動作を示すフローチャートである。図７には、第１の移動体端末２ａの制御動作を示すが、各移動体端末３における制御動作は、同一である。端末状態情報の送信制御動作は、予め定める開始条件を満たしたとき、ステップａ０で開始されて、ステップａ１に進む。開始条件は、たとえば移動体端末２の電源がオン（ＯＮ）に切換えられ、または移動体端末２が各基地局４の通信エリア外から、少なくもいずれか１つの基地局４の通信エリアに移動することによって、ネットワーク設備３との無線接続が可能になることであってもよい。
【００８９】
ステップａ１では、自機の状態を判定して、自機の状態を表す端末状態情報を取得し、端末状態情報を取得すると、ステップａ２に進む。ステップａ２では、取得した端末状態情報を送信、具体的には、登録指令信号を端末無線通信手段１９によって基地局４に向けて送信させる。このとき、送信される端末情報は、登録内容情報に基づく内容であり、たとえば端末記憶部１６に記憶される登録内容情報を読出して、その内容の端末状態情報を送信する。登録内容情報が示す内容の端末状態情報を送信するにあたって、ステップａ１で登録内容情報が示す内容の情報だけを取得するようにしてもよいし、またまステップａ１では、登録内容情報が示す内容の情報を含めて取得可能な全ての情報を取得した後、ステップａ２で取捨選択して、登録内容情報が示す内容の端末状態情報を送信してもよい。端末状態情報を送信すると、ステップａ３に進む。
【００９０】
ステップａ３は、ステップａ１と同様の動作であり、端末状態情報を取得すると、ステップａ４に進む。ステップａ４では、取得した端末端末情報と、前回取得した端末状態情報とを比較し、自機の状態（端末状態情報）が変化したか否か判断され、変化している場合、ステップａ５に進み、変化していない場合、ステップａ３に進む。ステップａ５は、ステップａ２と同様の動作であり、端末状態情報を送信すると、ステップａ３に進む。
【００９１】
このような一連の動作は、予め定める終了条件を満たすまで、繰返される。終了条件は、たとえば移動体端末２の電源がオフ（ＯＦＦ）に切換えられ、または移動体端末２が各基地局４の少なくともいずれか１つの通信エリア内から、各基地局４の通信エリア外に移動することによって、ネットワーク設備３との無線接続が可能になることであってもよい。
【００９２】
図８は、第１の移動体端末２ａの端末制御部１７における他の移動体端末２の端末状態情報の要求制御動作を示すフローチャートである。図８には、第１の移動体端末２ａの制御動作を示すが、各移動体端末３における制御動作は、同一である。端末状態情報の要求制御動作は、予め定める開始条件を満たしたとき、ステップｂ０で開始されて、ステップｂ１に進む。開始条件は、たとえば利用者によって操作入力部１２が操作されて、他の移動体端末２の端末状態情報を取得するように指示されることであってもよい。
【００９３】
ステップｂ１では、他の端末状態情報を要求する要求情報を送信、具体的には、要求信号を端末無線通信手段１９によって基地局４に向けて送信させる。要求信号を送信すると、ステップｂ２に進む。ステップｂ２では、要求した端末状態情報を受信、具体的には、要求信号に対してネットワーク設備３から送信され、端末無線通信手段１９によって受信される応答信号を受取り、この応答信号の表す他の端末状態情報を取得する。この他の端末状態情報は、表示部１３で表示してもよいし、端末記憶部１６で記憶しておもよいし、その他の制御動作に用いられてもよい。端末状態情報を受信すると、ステップｂ３に進み、端末状態情報の要求制御動作を終了する。
【００９４】
図９は、第１の基地局４ａの基地局制御部３２における信号の中継制御動作を示すフローチャートである。図９には、第１の基地局４ａの制御動作を示すが、各基地局４における制御動作は、同一である。信号の中継制御動作は、たとえば基地局４が中継動作を実行できる状態になったとき、ステップｃ０で開始されて、ステップｃ１に進む。ステップｃ１では、情報を表す信号を受信したか否かが判断され、受信した場合にステップｃ２に進み、受信していない場合にステップｃ１に進む。つまり受信するまで確認動作を繰返し、受信したとき、ステップｃ２に進む。ステップｃ２では、信号の送信先を特定して、その送信先に向けて、基地局無線通信手段２４および基地局有線通信部２２の少なくともいずれかによって送信させる。信号を送信するとステップｃ１に進む。このような一連の動作は、たとえば基地局４が中継動作を実行不可能な状態になるまで繰返される。
【００９５】
交換機５の交換機制御部４１における信号の中継制御動作は、図９の制御動作と類似していので、図を参照しての詳細な説明は省略する。交換機制御部４１における信号の中継制御動作は、ステップｃ１，ｃ２に相当するステップを有しており、制御対象となる信号を送受信する構成が交換機有線通信部３１に代わることを除けば、同様の動作である。
【００９６】
データベース装置６のデータベース制御部４３における情報記憶制御動作は、図を参照しての説明は省略するが、移動体端末２から送信される登録指令信号および許可情報信号が、基地局４および交換機５を介して、データベース有線通信部４１で受信されたときに、開始される。そしてその信号が表す情報をデータベース記憶部４２に記憶させて、情報記憶制御動作を終了する。
【００９７】
図１０は、データベース装置６のデータベース制御部４３における移動体端末２からの要求に対して応答する応答制御動作を示すフローチャートである。応答制御動作は、要求信号が、データベース有線通信部４１で受信されたときに、ステップｄ０で開始され、ステップｄ１に進む。ステップｄ１では、端末状態情報を要求している移動体端末２が、その端末状態情報の読出しを許可されている移動体端末であるか否かが判断され、許可されている場合には、ステップｄ２に進み、許可さていない場合には、ステップｄ４に進む。
【００９８】
具体的に述べると、ステップｄ２では、データベース記憶部４２を制御して許可情報を読出し、端末状態情報を要求している移動体端末２およびその利用者（ユーザ）に関する情報と、許可情報で読出しを許可するように指定されている移動体端末２およびその利用者に関する情報とが一致するか否か判断している。そして一致する場合には、ステップｄ２に進み、一致しない場合には、ステップｄ４に進む。
【００９９】
ステップｄ２は、要求された端末状態情報を読出して送信させる。具体的には、データベース記憶部４２を制御して要求された端末状態情報を読出し、その端末状態情報を表す応答信号を、データベース有線通信手段４１によって交換機５に向けて送信させ、結果として、交換機５および基地局４を介して移動体端末２に向けて送信させる。応答信号を送信すると、ステップｄ３に進んで応答制御動作を終了する。ステップｄ４では、端末状態情報の読出しが許可されていないことを示すエラー情報を表すエラー信号を、要求している移動体端末２に、データベース有線通信手段４１によって交換機５に向けて送信させ、結果として、交換機５および基地局４を介して移動体端末２に向けて送信させる。
【０１００】
図１１は、データベース装置６のデータベース制御部４３における端末状態情報の更新制御動作を示すフローチャートである。端末状態情報の更新制御動作は、データベース記憶部４２に既に記憶されている状態で、新たに登録指令信号がデータベース有線通信部４１で受信されたときに、ステップｅ０で開始され、ステップｅ１に進む。ステップｅ１では、データベース記憶部４１を制御して、新たに受信した登録指令信号が表す端末状態情報を、更新して記憶させる。端末状態情報を更新記憶するとステップｅ２に進む。
【０１０１】
ステップｅ２では、登録指令情報を送信した移動体端末２が端末状態情報の読出しを許可している移動体端末２およびその利用者、いわば認証ユーザを確認する。具体的には、データベース記憶部４２を制御して許可情報を読出し、読出しを許可している移動体端末２を特定する。この特定が終了すると、ステップｅ３に進む。
【０１０２】
ステップｅ３では、ステップｅ２で特定された移動体端末２に向けて、更新した新たな端末状態情報を、送信させる。具体的には、新たな端末状態情報を表す更新信号を、データベース有線通信手段４１によって交換機５に向けて送信させ、結果として、交換機５および基地局４を介して移動体端末２に向けて送信させる。このような新たな端末情報を送信するにあたって、認証ユーザ、すなわち許可情報で指定されている全ての移動体端末２に向けて更新信号を送信するようにしてもよいし、許可情報で指定されている移動体端末２のうち、端末状態情報が更新される以前に端末状態情報を要求した移動体端末２にだけ向けて更新信号を送信するようにしてもよい。端末状態情報が更新される以前に端末状態情報を要求した移動体端末２にだけ向けて更新信号を送信する場合、データベース制御部４３が、要求履歴を示す要求履歴情報を作成し、その要求履歴情報をデータベース記憶部４２に記憶させておいて、この要求履歴情報を読出すことによって、端末状態情報が更新される以前に端末状態情報を要求した移動体端末２を特定するようにしてもよい。更新信号を送信すると、ステップｅ４に進み、端末状態情報の更新制御動作を終了する。
【０１０３】
図１２は、サーバ装置６のサーバ制御部５３におけるサービス情報の送信制御動作を示すフローチャートである。サービス情報の送信制御動作は、予め定める開始条件を満たしたとき、ステップｆ０で開始されて、ステップｆ１に進む。開始条件は、たとえばメール情報を受信したとき、または一定周期で情報をサービス情報を送信するように設定されている場合に設定された時刻になったときなど、サービス情報の送信が必要になることであってもよい。
【０１０４】
ステップｆ１では、サービス情報の送信先となる端末状態情報を要求する確認情報を送信、具体的には、確認情報を表す確認信号をサーバ有線通信手段５１によってデータベース装置７に向けて送信させる。確認信号を送信すると、ステップｆ２に進む。ステップｆ２では、要求した端末状態情報を受信、具体的には、確認信号に対してデータベース装置６から送信され、サーバ有線通信部５１によって受信される回答信号を受取り、この回答信号の表す端末状態情報を取得する。端末状態情報を受信すると、ステップｆ３に進む。
【０１０５】
ステップｆ３では、取得した端末状態情報に基づいて、送信条件を満たすか否かを判断し、送信条件を満たす場合、ステップｆ４に進み、送信条件を満たさない場合、ステップｆ６に進む。送信条件は、移動体端末２がサービス情報を受信可能か否かであってもよいし、移動体端末２の各モードのうち、サービス情報の送信に適したモード、たとえば通常モードに設定されているか否かであってもよいし、また電波状態が良好であるか否かであってもよいし、これらの組合せであってもよい。
【０１０６】
ステップｆ４では、サーバ有線通信部５１を制御して、サービス情報を表すサービス情報信号を、交換機５に向けて送信させ、結果として、交換機５および基地局４を介して移動体端末２に向けて送信させる。サービス信号を送信すると、ステップｆ５に進み、サービス情報の送信制御動作を終了する。ステップｆ６では、予め設定される時間待機し、ステップｆ１に進む。
【０１０７】
データベース装置６のデータベース制御部４３における確認信号受信時の回答制御動作は、図を参照しての説明は省略するが、サーバ装置７から送信される確認信号が、データベース有線通信部４１で受信されたときに、開始される。そしてその確認信号が表す確認情報基づいて、要求している端末状態情報をデータベース記憶部４２を制御して読出し、その端末状態情報を表す回答信号を、データベース有線通信部４１によってサーバ装置６に向けて送信させる。
【０１０８】
図１３は、移動体端末２の端末状態情報をデータベースに登録する通信システム１の処理動作の概念を示すシーケンス図である。図１３には、第１の移動体端末２ａを例に挙げて説明する。ステップｇ１として、第１の移動体端末２ａは、無線で接続された第１の基地局４ａに自機の端末状態情報を送信しデータベース装置６への登録を要求する。これを受けてステップｇ２として、第１の移動体端末２ａからデータベース装置６への登録を要求された第１の基地局４ａは交換機５による制御を介してデータベース装置６に第１の移動体端末２ａの端末状態情報を登録する。
【０１０９】
そしてステップｇ３として、第１の移動体端末２ａの状態が変化すると、ステップｇ４として、第１の移動体端末２ａは自機の状態が変化したことを認識し、無線で接続された第１の基地局４ａに第１の移動体端末２ａの端末状態情報をあらためて送信しデータベース装置６への登録を要求する。これを受けてステップｇ５として、第１の移動体端末２ａと無線で接続された第１の基地局４ａは交換機５による制御を介してデータベース装置６に対して第１の移動体端末２ａの端末状態情報を再登録（更新登録）する。このようにして、各移動体端末２の端末状態情報は、各移動体端末２の状態の変化に応じて最新の情報がネットワーク設備３に保存される。
【０１１０】
図１４は、移動体端末２が他の移動体端末２の端末状態情報を、他の移動体端末２と通信することなく、データベース装置６から入手する通信システム１の処理動作の概念を示すシーケンス図である。図１３には、第１の移動体端末２ａの端末状態情報を、第２の移動体端末装置２ｂによって取得する場合を例に挙げて説明する。
【０１１１】
ステップｈ１として、第２の移動体端末２ｂは、無線で接続された第２の基地局４ｂに対して、第１の移動体端末２ａの端末状態情報の要求を送信する。これを受けてステップｈ２として、第２基地局４ｂは、交換機５の制御を介してデータベース装置６に対して、第２の移動体端末２ｂによる第１の移動体端末２ａの端末状態情報の要求を送信する。
【０１１２】
これに対してステップｈ３として、データベース装置６は、アクセスしてきた第２の移動体端末２ｂについてユーザ認証を行う。ユーザ認証は、データベース装置６そのものへのアクセス権について行うのではなく、各移動体端末２の端末状態情報へのアクセスについてそれぞれユーザ認証を行う。これにより第２の移動体端末２ｂは第１の移動体端末２ａのユーザ認証により第１の移動体端末２ａの状態情報は入手できても、認証されていない他の移動体端末２の情報は入手できないといったセキュリティーをデータベース装置６に持たせることができる。
【０１１３】
そしてステップｈ４として、データベース装置６は、第２の移動体端末２ｂのユーザ認証が成立した場合、第２の移動体端末２ｂが無線で接続された第２の基地局４ｂに対して、交換機５の制御を介して、要求されていた第１の移動体端末２ａの端末状態情報を送信し、第２の移動体端末２ｂのユーザ認証が不成立の場合は基地局に対してエラー情報を送信する。これを受けて、ステップｈ５として、第２基地局４ｂは、データベース装置６から送られてきた端末状態情報またはエラー情報をそのまま第２の移動体端末２ｂに送信する。
【０１１４】
さらにステップｈ６として、第１の移動体端末２ａの状態が変化すると、ステップｈ７として、第１の移動体端末２ａは、無線で接続された第１の基地局４ａに対して端末状態情報の再登録を要求する。ステップｈ８として、第１の移動体端末２ａからの要求を受けた第１の基地局４ａは、交換機５の制御を介してデータベース装置６に対して第１の移動体端末２ａに要求された第１の移動体端末２ａの端末状態情報を更新するよう指令する。
【０１１５】
ステップｈ９として、データベース装置６は、第１の移動体端末２ａの端末状態情報の変化について、第１の移動体端末２ａの状態情報を更新して記憶し、ステップｈ１０として、第１の移動体端末２ａの端末状態情報に関してユーザ認証を完了している移動体端末２をチェックする。そしてステップｈ１１として、データベース装置６は、ユーザ認証済みであることがチェックされた第２の移動体端末２ｂおよびその他の移動体端末２に対してそれぞれ、交換機５の制御を介して移動体端末２が無線で接続された基地局４に第１の移動体端末２ａのデータを送信する。これを受けて、ステップｈ１２として、第２の移動体端末２ｂと無線で接続された第２の基地局４ｂは、第２の移動体端末２ｂに対して第１の移動体端末２ａの端末状態情報を送信する。このようにして、各移動体端末２は、他の移動体端末２に関して、常に最新の端末状態情報を得ることができる。
【０１１６】
図１５は、サーバ装置６が移動体端末２の状態を考慮して移動体端末２に対してサービスを行う処理動作の概念を示すシーケンス図である。図１５には、第１の移動体端末２ａを例に挙げて説明する。ステップｉ１として、サーバ装置７は、データベース装置６に対して、第１の移動体端末２ａの端末状態情報を要求する。これを受けてステップｉ２として、データベース装置６は、サーバ装置７に対して第１の移動体端末２ａの端末状態情報を送信する。
【０１１７】
ステップｉ３として、サーバ装置７は第１の移動体端末２ａの端末状態情報を受信し、第１の移動体端末２ａがサービス情報の受信に状態であるか、たとえばサービス情報を受けられる状況にあるかを判断する。ステップｉ４として、サーバ装置７は第１の移動体端末２ａがサービスを受けられる状況であると判断したときは、第１の移動体端末２ａと無線で接続された第１の基地局４ａに第１の移動体端末２ａ宛てのサービス情報を送信する。ステップｉ５として、第１の移動体端末２ａと無線で接続された第１の基地局４ａは、サーバ装置７から受信したサービス情報を第１の移動体端末２ａに送信する。
【０１１８】
そしてステップｉ６として、もしサーバ装置７が第１の移動体端末２ａの状態情報から第１の移動体端末２ａがサービス情報を受けられる状況にないと判断したときは、サーバ装置７は第１の移動体端末２ａへのサービス情報の送信を行わず、第１の移動体端末２ａに対して行うつもりであったサービス情報の送信に関して一定時間保留する。ある程度の時間が経った後に再度データベースに第１の移動体端末２ａの状態情報を要求する。サーバ装置７は、第１の移動体端末２ａがサービス情報を受けられる状態であると判断するまでは、ステップｉ１〜ｉ３，ｉ６の動作を繰り返し行う。あるいは、ステップｉ１〜ｉ３，ｉ６の動作を何回か上述の動作制御を繰り返し行った後に、第１の移動体端末２ａに対して実施したいサービス情報があることをできるだけ小さな通信量で通知する。
【０１１９】
このようにして、サーバ装置７は、直接に各移動体端末２と通信することなく、各移動体端末２の状態を把握してサービス、つまりサービス情報の送信を実施することが可能となり、状態がよくない移動体端末２に対してなんどもサービスを実施しようとするような無駄なサービス行為を減らし、効率的な運営を行うことが可能となる。
【０１２０】
本実施の形態によれば、各移動体端末２の端末状態情報をデータベース装置６に記憶させて共有化することによって、各移動体端末２の端末状態情報を他の装置で読出して把握することができる。
【０１２１】
したがってデータベース装置６に記憶される端末状態情報を、他の移動体端末２で読出すことによって、移動体端末２の状態を、他の移動体端末２で把握することができる。換言すれば、各移動体端末２は、他の移動体端末２と通信することなく、データベース装置６から端末状態情報を読出すことによって、他の移動体端末２の状態を把握することができる。したがって移動体端末２を用いて、他の移動体端末２の状態を把握し、その状態に合わせて好適に他の移動体端末２と通信することができる。
【０１２２】
またデータベース装置６に記憶される端末状態情報を、サーバ装置７で読出すことによって、移動体端末２の状態を、サーバ装置７で把握することができる。したがってサービス情報の提供先となる移動体端末の状態をサーバ装置７で把握し、その状態に合わせてサービス情報の提供に好適な状態にあるときに、サービス情報を移動体端末２に送信し、提供することができる。
【０１２３】
また許可情報が、データベース装置６に与えられて記憶される。したがって移動体端末２の端末状態情報を、他の全て移動体端末２で読出せるのではなく、許可された他の移動体端末２だけで読出すことができる。換言すれば、各移動体端末２は、自機に許可が与えられている他の移動体端末２の端末状態情報だけを読出すことができる。このように不所望な情報の漏洩を防ぐことができる。
【０１２４】
また登録すべき内容を予め指定しておくことによって、データベース装置６記憶される端末状態情報の内容を事前に選択することができ、利便性を高くすることができる。たとえば、利用者が、登録すべき内容を操作入力部１２などによって入力できるようにすることによって、利用者の意図を反映した内容の端末状態情報を、データベース装置６に記憶することができる。
【０１２５】
また利用者は相手の移動体端末２の状態を把握することで、相手の移動体端末２との通信形態、たとえば通話およびメールを選択することが可能となる。また相手の移動体端末２の状態が変わったことを通知するシステムを備えているため、何度も相手に通話を試みるという行為をする必要がなくなる。さらに、サーバ装置７では移動体端末２の状態を把握することでサービスを柔軟に行うことができる。例えば、大容量のメールを移動体端末２に配信する場合、サーバ装置６は、移動体端末２の現在の電波の強さ（電波状態）をデータベース装置７から入手することで、通信状態が悪いときに大容量データの送信を中止して、移動体端末の電波状態がよくなってから送信するということが可能となる。また、サーバ装置７は移動体端末２のリクエストに対して、データベース装置７の電波状態を考慮に入れることで、リクエストされたサービス（情報の提供）の実行の可否が決定でき、移動体端末２にそれを伝えることができるため、移動体端末２がサービスの受信に失敗することを少なくすることができる。
【０１２６】
また、移動体端末２にテレビジョン放送の受像機能が搭載されている場合には、移動体端末２が見ているチャンネルを、端末状態情報として、移動体端末２からデータベース装置６に登録することによって、視聴率の調査に使うことができる。このシステムを利用した視聴率調査では移動体端末２の状態から利用者がどのような状態でどのような番組をみていたのかということも知ることができ、現在の視聴率調査からは一歩踏み込んだ詳細な情報取得ができる視聴率調査が可能となる。
【０１２７】
上述の実施の形態は、本発明の例示であり、構成の変更が可能である。たとえば通信端末装置は、移動体端末に限定されることはなく、固定設置される固定端末装置であってもよい。
【図面の簡単な説明】
【０１２８】
【図１】本発明の実施の一形態の通信システム１を示すブロック図である。
【図２】第１の移動体端末２ａの電気的構成を示すブロック図である。
【図３】第１の基地局４ａの電気的構成を示すブロック図である。
【図４】交換機５の電気的構成を示すブロック図である。
【図５】データベース装置６の電気的構成を示すブロック図である。
【図６】サーバ装置７の電気的構成を示すブロック図である。
【図７】第１の移動体端末２ａの端末制御部１７における端末状態情報の送信制御動作を示すフローチャートである。
【図８】第１の移動体端末２ａの端末制御部１７における他の移動体端末２の端末状態情報の要求制御動作を示すフローチャートである。
【図９】第１の基地局４ａの基地局制御部３２における信号の中継制御動作を示すフローチャートである。
【図１０】データベース装置６のデータベース制御部４３における移動体端末２からの要求に対して応答する応答制御動作を示すフローチャートである。
【図１１】データベース装置６のデータベース制御部４３における端末状態情報の更新制御動作を示すフローチャートである。
【図１２】サーバ装置６のサーバ制御部５３におけるサービス情報の送信制御動作を示すフローチャートである。
【図１３】移動体端末２の端末状態情報をデータベースに登録する通信システム１の処理動作の概念を示すシーケンス図である。
【図１４】移動体端末２が他の移動体端末２の端末状態情報を、他の移動体端末２と通信することなく、データベース装置６から入手する通信システム１の処理動作の概念を示すシーケンス図である。
【図１５】サーバ装置６が移動体端末２の状態を考慮して移動体端末２に対してサービスを行う処理動作の概念を示すシーケンス図である。
【符号の説明】
【０１２９】
１  移動体通信システム
２ａ，２ｂ  移動体端末装置
３  ネットワーク設備
４ａ，４ｂ  基地局通信装置
５  交換機
６  データベース装置
７  サーバ装置
１２  操作入力部
１６  端末記憶部
１７  端末制御部
１９  端末通信手段
４１  データベース有線通信部
４２  データベース記憶部
４３  データベース制御部
５１  サーバ有線通信部
５２  サーバ記憶部
５３  サーバ制御部
【図１】
2005286869.tif 000003
【図２】
2005286869.tif 000004
【図３】
2005286869.tif 000005
【図４】
2005286869.tif 000006
【図５】
2005286869.tif 000007
【図６】
2005286869.tif 000008
【図７】
2005286869.tif 000009
【図８】
2005286869.tif 000010
【図９】
2005286869.tif 000011
【図１０】
2005286869.tif 000012
【図１１】
2005286869.tif 000013
【図１２】
2005286869.tif 000014
【図１３】
2005286869.tif 000015
【図１４】
2005286869.tif 000016
【図１５】
2005286869.tif 000017